(57)【要約】      （修正有）【課題】正転、逆転シフトボタンの過度の回転を防止し、回転操作を容易にするラチェットレンチの構造を提供する。【解決手段】本体１０及びラチェット２０、ディテント５０及び制御ユニット６０で構成し、ディテントに凹アーク部及び設置段差凹部を設ける。凹アーク部に二つの凸部を設け、制御ユニットにはシフトボタン６１、掛合部品及び弾性部品を有し、シフトボタンの円形軸にスリット及び欠け溝部を設け、掛合部品をスリットに設置し、掛合部品にスロット及び先端突起を設け、先端突起を設置段差凹部内に設け、且つスリットの外に突出して露出させ、弾性部品を欠け溝部及びスロット内に設置してその弾発力により掛合部品はディテントの凹アーク部に当接させる。【選択図】図１
0003209448.tif 000002
【実用新案登録請求の範囲】
【請求項１】
本体、ラチェット、ディテント及び制御ユニットからなり、
上記本体は、上下に貫通する円形開孔を設け、該円形開孔の片側にアーク形凹部を凹設し、該アーク形凹部の片側に軸孔を凹設し、該軸孔の一方は開放状態を呈し、
上記ラチェットは、回転可能に該円形開孔内に枢設し、その外周面に掛合歯を形成し、
上記ディテントは、左右に変位できるよう上記本体のアーク形凹部内に設置され、一方の前側に複数の噛合歯を設けて該掛合歯と噛合し、他方の後側に凹アーク部を設け、上記ディテントは少なくとも一端に該ディテントと段差を形成する設置段差凹部を設け、該凹アーク部の両端部にそれぞれ一つの凸部を凸設し、
上記制御ユニットは、上記本体の軸孔内に枢設して、回転操作して該ディテントを該アーク形凹部内に左右に変位するよう可能としてラチェットレンチの正転逆転を制御可能とし、
該制御ユニットは、シフトボタン、掛合部品及び弾性部品を備え、
該シフトボタンは円形軸を設けて、該円形軸を回転可能に上記本体の軸孔内に枢設するものであって、該円形軸に一つの端面、非貫通且つ円形状の穴を呈す一つの欠け溝部及び該円形軸の軸心方向に沿うスリットを設け、
該スリットは該円形軸を前後貫通すると共に上記端面で開放状態、すなわちスリットの三方向を開放状態であり、かつ該欠け溝部の直径はスリットの幅より大きく、
上記掛合部品は、その一側にスロットを設けると共に、同一側及び反対側にそれぞれ第一辺面及び第二辺面を設け、該掛合部品の一端に先端突起を設け、先端突起は左右変位することができるよう上記本体のアーク形凹部内に設置されたディテントの設置段差凹部の中に位置し、且つスリットの外に突出して露出し、該先端突起と第一辺面との間の幅は垂直幅であり、
上記軸孔内に枢設した円形軸の外径は軸孔の直径と同じであり、該掛合部品の長さより長く、及び上記垂直幅より狭く、且つ該垂直幅は該長さより長く、
上記弾性部品を上記円形軸の欠け溝部及びスロット内に設置して、該掛合部品を該弾性部品の弾発力により上記ディテントの上記凹アーク部に当接させ、
上記シフトボタンを回転操作することにより、上記掛合部品及びディテントを制御して回転させ、該アーク形凹部内で左右に変位操作可能としたことを特徴とするラチェットレンチの構造。
【請求項２】
前記本体のアーク形凹部の上部は開放状態を呈することを特徴とする請求項１記載のラチェットレンチの構造。
【請求項３】
前記円形開孔の上端にその円弧と同軸に埋め込みアーク形凹部を設け、前記アーク形凹部の上端に同じく同軸にアーク形掛合溝を設け、該アーク形掛合溝の直径はアーク形凹部の直径より大きくし、
三日月型を呈する蓋本体を該アーク形掛合溝に掛合して設置して、該蓋本体にアーク形第一周面を設けて、該第一周面と該円形開孔の周縁面は互いに重なり合うものとし、
前記ラチェット外周面に欠け溝部を設けた環状溝を形成し、上記埋め込みアーク形凹部との間にＤ字型の環状を呈する弾力性の第一バックルを嵌め込むと共に、該第一バックルには掛合部を設けて、該係合部を上記環状溝の欠け溝部に配置し、上記蓋本体が該第一バックルに当接して該アーク形掛合溝内の移動を制限されて、該アーク形掛合溝からの脱出防止されるようにしたことを特徴とする請求項１記載のラチェットレンチの構造。
【請求項４】
前記本体の軸孔の開口部に近い部分に凹アーク形回転制限溝を設け、該回転制限溝と該軸孔は互いに通じ、該回転制限溝の直径と該軸孔の直径は同じであり、
前記制御ユニットの円形軸の一端に該制御ユニットを操作するシフトシートを設けて、該シフトシートに近い箇所に第二凸ブロックを凸設し、上記凹アーク形回転制限溝内に該第二凸ブロックを変位可能に設置したことを特徴とする請求項１記載のラチェットレンチの構造。
【請求項５】
前記本体の円形開孔の内周面に二つのアーク形溝を設け、
前記本体のアーク形凹部と前記軸孔の間を開口する凹溝を設けたことを特徴とする請求項１記載のラチェットレンチの構造。
【請求項６】
前記ラチェットの一端に第一端部を設け、前記掛合歯の該第一端部に近い部分に組合部及び円形套合溝を設け、該組合部は前記本体の円形開孔の外に突出し、該ラチェットの他端外周面に一つの環状溝を設け、該環状溝に一つの欠け溝部を設けると共に該ラチェットを軸方向に貫通する非円形スリーブ開孔を設け、該欠け溝部は該環状溝及び該スリーブ開孔を連通し、
上記円形套合溝とスリーブ開孔は互いに通じ、該円形套合溝の内直径は、スリーブ開孔の外接円の直径より大きく、該円形套合溝と該スリーブ開孔の間に、一つの平面状の平面台を設け、該スリーブ開孔の平面台に近い部分にフランジを設けて、該フランジにより該スリーブ開孔と接して套合するハンドツール部品とが互いに外れないようにし、
ラチェット一端に結合する回転ディスクを設け、該回転ディスクの外周に凸歯を設け、該凸歯は本体内のラチェットから本体の外に突出して露出し、且つ該凸歯の外接円の外径は前記ラチェット外周面の掛合歯の外径のものより大きく、
該回転ディスクの一端に該本体の端面と抵触するための第二端部を設けると共に套接部を設け、套接部はしっかりと上記ラチェットの組合部と結合することを特徴とする請求項１記載のラチェットレンチの構造。
【請求項７】
前記回転ディスクに一つのスリーブ部を設け、該スリーブ部及び前記套接部は連通して貫通し、該スリーブ部の直径は、該套接部の直径より小さく、該スリーブ部の直径は該スリーブ開孔の外接円の直径より大きく、該スリーブ部と該套接部の間に平らな抵触部を設け、
スリーブ開孔を密閉するための円形内蓋を設け、該内蓋の外周部及び内周部において、該内周部は該スリーブ開孔に向いており、
円形外蓋をラチェット及び回転ディスクの中に設置し、該外蓋を該内蓋の外周面に套設し、該外蓋の外縁部及び内縁部において、該外縁部を該スリーブ部に套設し、該内縁部を該円形套合溝の中に位置して、該外縁部と該内縁部の間に一つのスリーブ部を環設し、該スリーブ部の直径は該外縁部の直径より大きく、該スリーブ部を該第一端部及び該平らな抵触部の間に設置することで、該外蓋は該第一端部及び該平らな抵触部に制限されて該ラチェット及び該回転ディスクの外に抜けないようにし、
該外蓋の開口部分に一つの当接部を設け、該当接部は上記平面台に抵触し、該外蓋は軸方向に貫通して内部に該内蓋を入れるための収納室を具有し、該収納室の該外縁部の開口部に近い部分に寄掛部を設け、該寄掛部に該外周部が抵触し、該内蓋は該平面台及び該寄掛部に制限されるために、該内蓋は該ラチェット及び該外蓋の外に抜けることができないようにされ、また、該内蓋は該収納室内で一定距離を変位することができるようにしたことを特徴とする請求項６記載のラチェットレンチの構造。
【請求項８】
前記ディテントの凹アーク部は、第一アーク面と該第一アーク面を挟んで対称な二つの第二アーク面で構成されることを特徴とする請求項１記載のラチェットレンチの構造。
【請求項９】
前記ディテントの両端のいずれか一つに設置段差凹部を設けることを特徴とする請求項１記載のラチェットレンチの構造。
【請求項１０】
前記制御ユニットの円形軸に設けたスリットの両サイドにはそれぞれ対称にアーク状を呈す第一凹面を設けたことを特徴とする請求項１記載のラチェットレンチの構造。
【考案の詳細な説明】
【技術分野】
【０００１】
本考案はラチェットレンチの構造に関し、特に正転逆転の駆動機能を具有するツールであるラチェットレンチの構造に関する。
【背景技術】
【０００２】
従来のラチェットレンチについて、アメリカ特許第７１２１１７０号では、主にシャンク５０の端部に一つの頭部５１を具有する。頭部５１の中にツールヘッド６０及びラチェットブロック６５を設ける。ラチェットブロック６５は一つのシフトブロック７０を具有する位置シフト構造によって作動する。シフトブロック７０はラチェットブロック６５と対応する一つの貫通槽７１がある。定位シート７５の後端中央に二つの欠け溝部７６を具有する。貫通槽７１内にラチェットブロック６５と抵触する定位シート７５を具有する。二つの欠け溝部７６の間に一つのガイドシート７７を具有する。定位シート７５はガイドシート７７を利用してスプリング７８を通して抵触することで、定位シート７５は安定してラチェットブロック６５の上を支えることができる。しかし従来技術の欠点は：１、定位シート７５のトータルの長さはシフトブロック７０の外径より短く、ユーザーはシフトブロック７０を押えてツールヘッド６０を回転することで、ラチェットブロック６５のバックサウンドをテストする。定位シート７５はラチェットブロック６５を押すことでスプリング７８を抵触することもあり、定位シート７５は瞬時にして完全にシフトブロック７０内に没入する。図２３に示すのは、定位シート７５の端部はラチェットブロック槽５３まで突出することなく、シフトブロック７０の内部に隠れるために、定位シート７５はシフトブロック７０に従ってシフトブロック槽５４内で３６０度回転することになり、シフトブロック７０がシフトブロック槽５４内で過度に回転する欠点がある。図２３に示すように、過度に回転する状況において、ユーザーが引き続き逆時計回りにシフトブロック７０を回し、図２４に示す角度にまで回転すると、ラチェットブロック６５及びラチェットブロック槽５３の間に隙間があり、定位シート７５はスプリング７８の弾力を受けてその隙間にまで跳ねることになり、ラチェットブロック６５と定位シート７５は同時にラチェットブロック槽５３の中に入るため、ラチェットレンチは引き続き使用することができなくなる。
【０００３】
もう一つの従来技術のラチェットレンチは、本出願者が出願した台湾特許申請案第１５１１８４７号である。図３から図５に示すように、シフトボタン４１の外径は掛合部品４２のトータルの長さより長く、アメリカ特許７１２１１７０号の問題と同じであることを鑑みて、更なる改善が必要であった。
【先行技術文献】
【特許文献】
【０００４】
【特許文献１】米国特許第７１２１１７０号明細書
【特許文献２】台湾特許出願第１５１１８４７号公報
【特許文献３】特開２０１６−１２０５７１号公報
【特許文献４】特開２０１６−１６５０６号公報
【考案の概要】
【考案が解決しようとする課題】
【０００５】
前記公知構造の欠点を解決するため、本考案はシフトボタンが過度に回転するのを防止できるラチェットレンチの構造を提供することを主な課題とする。
【課題を解決するための手段】
【０００６】
前記課題を解決するために、本考案はラチェットレンチの構造を提供するものである。それに含まれるのは本体、ラチェット、ディテント及び制御ユニットである。本体にディテント及び回転できるようラチェットを設置する。ディテントに凹アーク部及び設置段差凹部を設ける。凹アーク部の両端にそれぞれ凸部を設ける。制御ユニットに含まれるのはシフトボタン、掛合部品及び弾性部品である。シフトボタンの円形軸は回転できるよう本体に設ける。円形軸にスリット及び欠け溝部を設ける。掛合部品はスリットの中に設置する。掛合部品にスロット及び先端突起を設ける。先端突起を設置段差凹部に設置し、且つスリットの外に突出して露出する。弾性部品を欠け溝部及びスロット内に設置し、掛合部品は弾性部品の弾力を受けてディテントの凹アーク部に抵触する。
【考案の効果】
【０００７】
本考案の構造により、シフトボタンが過度に回転するのを防止できる効果がある。
【図面の簡単な説明】
【０００８】
【図１】本考案のラチェットレンチの斜視分解図である。
【図２】本考案のラチェットレンチの本体斜視図である。
【図３】本考案のラチェットレンチの一部部品の斜視分解図である。
【図４】本考案のラチェットレンチのラチェットの斜視図である。
【図５】本考案のラチェットレンチの一部部品の斜視組立図である。
【図６】本考案のラチェットレンチの一部部品の正面図である。
【図７】図６のＡ−Ａ部分の断面図である。
【図８】本考案のラチェットレンチのディテントの斜視図である。
【図９】本考案のラチェットレンチのディテントの正面図である。
【図１０】本考案のラチェットレンチのシフトボタンの斜視図である。
【図１１】本考案のラチェットレンチのシフトブタンの正面図である。
【図１２】本考案のラチェットレンチのシフトボタンの別の角度から見た斜視図である。
【図１３】本考案のラチェットレンチの掛合部品の斜視図である。
【図１４】本考案のラチェットレンチの掛合部品の側面図である。
【図１５】本考案のラチェットレンチの一部部品の斜視組立図である。
【図１６】本考案のラチェットレンチの斜視組立図である。
【図１７】本考案のラチェットレンチの正面図である。
【図１８】図１７のＢ−Ｂ部分の断面図である。
【図１９】本考案のラチェットレンチのディテントと制御ユニットを別の角度から見た斜視図である。
【図２０】本考案のラチェットレンチの側面図である。
【図２１】図２０のＣ−Ｃ部分の断面図である。
【図２２】図２０のＢ−Ｂ部分の断面図である。
【図２３】従来技術のラチェットレンチの断面図である。
【図２４】従来技術のラチェットレンチの断面図である。
【考案を実施するための形態】
【０００９】
以下、本考案の構造と特徴および効果を、最良実施例と図面を参照しながら詳細に説明する。
【実施例】
【００１０】
図１から図１４に示すのは、本考案のラチェットレンチである。それに含まれるのは本体１０、ラチェット２０、回転ディスク３０、内蓋４１及び外蓋４２である。本体１０は上下に貫通する円形開孔１１を設ける。円形開孔１１の片側にアーク形凹部１２を凹設する。アーク形凹部１２の円心は円形開孔１１の範囲内に位置する。
アーク形凹部１２の円弧の直径は、円形開孔１１の直径より小さく、アーク形凹部１２の上部は開放状態を呈し、アーク形凹部１２の片側に軸孔１３を凹設する。軸孔１３の直径はアーク形凹部１２の円弧の直径より小さい。軸孔１３の下部は開放状態を呈す。円形開孔１１の上端に同軸に埋め込みアーク形凹部１４を設ける。アーク形凹部１２の上部壁面に、同軸でアーク形掛合溝１５を凹設する。軸孔１３の底に同じ直径のアーク形回転制限溝１６を凹設する。円形開孔１１の内周面に二つのアーク形溝１７を凹設する。アーク形凹部１２と軸孔１３の間を開口する凹溝１８を凹設する。
【００１１】
ラチェット２０を円形開孔１１内に枢設し、一端に平面状の第一端部２０１、他端に環状溝２３を設け、外周面に掛合歯２１を配置する。掛合歯２１に第一端部２０１に近い箇所に組合部２１１を設ける。組合部２１１は、ラチェット２０を円形開孔１１に収容した状態でその外方に突出する。環状溝２３と第一端部２０１は相反した位置にあり、環状溝２３に一つの欠け溝部２４を設ける。
ラチェット２０中心を貫通して、且つ六角形、十二角形或いはその他の形状の非円形の内周面のスリーブ開孔２５を呈する。欠け溝部２４は環状溝２３からスリーブ開孔２５へと連通する。
第一端部２０１内周面に円形開孔状の円形套合溝２６を設ける。円形套合溝２６とスリーブ開孔２５は互いに通じる。円形套合溝２６の内直径は、スリーブ開孔２５の外接円の直径より大きい。円形套合溝２６とスリーブ開孔２５の間に、平面状の平面台２７を設ける。スリーブ開孔２５の平面台２７に近い部分にフランジ２８を設ける。フランジ２８によりスリーブ開孔２５と套合するハンドツール部品と互いに抵触することで、ハンドツール部品がスリーブ開孔２５の外に外れない。
【００１２】
回転ディスク３０とラチェット２０が結合する（図５）。回転ディスク３０の外周面に凸歯３１を形成する。凸歯３１は、ラチェット３０を本体１０の円形開孔１１内に収容した状態でその外方に突出して露出し、且つその包括する外径は掛合歯２１の包括する外径より大きい。
回転ディスク３０の他端に第二端部３２及び円形開孔状の套接部３３を設け、第二端部３２は本体１０の端面に抵触し、套接部３３はしっかりとラチェット２０の組合部２１１と結合する。回転ディスク３０に円形開孔状スリーブ部３４を設け、スリーブ部３４及び套接部３３は連通して貫通した溝の状態を呈す。スリーブ部３４の直径は套接部３３の直径より小さい。スリーブ部３４の直径はスリーブ開孔２５の外接円の直径より大きい。スリーブ部３４と套接部３３の間に平面状の平ら抵触部３５を設ける。
【００１３】
円形内蓋４１はスリーブ開孔２５を密閉するためのものであり、それに含まれるのは、外周部４１１である。内蓋４１にはスリーブ開孔２５に向けて内周部４１２を設けている。
【００１４】
円形外蓋４２はラチェット２０及び回転ディスク３０の中に設置する。外蓋４２を内蓋４１の外周面に套設する。外蓋４２に外縁部４２１及び内縁部４２２を設け、外縁部４２１をスリーブ部３４に套設し、内縁部４２２を円形套合溝２６の中に位置する。外縁部４２１と内縁部４２２の間にスリーブ部４２３を環設し、スリーブ部４２３の直径は外縁部４２１の直径より大きい。
スリーブ部４２３を第一端部２０１及び平ら抵触部３５の間に設置することで、外蓋４２は第一端部２０１及び平ら抵触部３５に制限されてラチェット２０及び回転ディスク３０の外に抜けない。外蓋４２の一端の開口部分に当接部４２４を設ける。当接部４２４は平面台２７に抵触し、外蓋４２は軸方向に貫通して内部に内蓋４１を入れるための収納室４２５を具有する。収納室４２５の外縁部４２１の開口部に近い部分に寄掛部４２６を設け、寄掛部４２６に外周部４１１が抵触する。内蓋４１は平面台２７及び寄掛部４２６に制限されるために、内蓋４１はラチェット２０及び外蓋４２の外に抜けることができない。また、内蓋４１は収納室４２５で一つの距離を変位することができる。
【００１５】
図５から図７に示すように、回転ディスク３０をラチェット２０の上に結合し、内蓋４１はスリーブ開孔２５を密閉する。外蓋４２をラチェット２０及び回転ディスク３０内に設置し、且つ内蓋４１の外に套設する。内蓋４１は外蓋４２の収納室４２５内で変位することができる。
【００１６】
図８及び図９に示すように、ディテント５０は左右に変位できるようアーク形凹部１２内の片側に設置する。ディテント５０の前側に複数の噛合歯５１を設けてラチェット２０外周面の掛合歯２１と噛合する。ディテント５０後側に凹アーク部５２を設ける。凹アーク部５２は、第一アーク面５２１とこれを挟んで対称な二つの第二アーク面５２２からなる。
ディテント５０は少なくとも一端に設置段差凹部５３を設ける。設置段差凹部５３はディテント５０とは高低差がある。凹アーク部５２の両端部にそれぞれ一つの凸部５４を凸設する。
制御ユニット６０を本体１０の軸孔１３の中に枢設し、制御ユニット６０は回転してディテント５０を本体１０のアーク形凹部１２内で左右に変位するよう制御し、ラチェットレンチの正転逆転を制御する。
制御ユニット６０は、シフトボタン６１、掛合部品６２及び弾性部品６３(図１９)を備える。
【００１７】
図１０から図１２に示すように、シフトボタン６１は円形軸６１１を有し、円形軸６１１を本体１０の軸孔１３の中に枢設する。
円形軸６１１の外径６１１１、円形軸６１１に端面６１２を設け、円形軸６１１に円形軸６１１の軸心方向に沿う長いスリット６１３を設ける。スリット６１３は円形軸６１１を貫通し、スリット６１３は端面６１２の部分で開放状態を呈し、つまりスリット６１３の三つの方向はいずれも開放状態である。円形軸６１１に非貫通且つ円形状の穴を呈する欠け溝部６１５を設ける。欠け溝部６１５の直径６１６はスリット６１３の幅６１４より大きい。円形軸６１１は、スリット６１３の両側に対称にそれぞれアーク状を呈する第一凹面６１７を設ける。
シフトボタン６１にシフトシート６１８を設け、シフトシート６１８を本体１０の軸孔１３の外に突出して露出させ、円形軸６１１のシフトシート６１８に近い一端に第二凸ブロック６１９を凸設する(図１２)。第二凸ブロック６１９を本体１０の軸孔１３の回転制限溝１６に位置させることにより、第二凸ブロック６１９は回転制限溝１６の範囲内にて変位することができる。即ちシフトボタン６１は第二凸ブロック６１９及び回転制限溝１６により最大角度の回転を制限される。
【００１８】
図１３及び図１４に示すように、掛合部品６２はＵ字型を呈し、且つ制御ユニット６０のスリット６１３に位置する。掛合部品６２に長さ６２０があり、掛合部品６２にスロット６２１及び長さ６２０の両サイドに第一辺面６２０１及び第二辺面６２０２を設ける。スロット６２１の幅６２２は前記制御ユニット６０の欠け溝部６１５の直径６１６と同じ或いはそれより大きい。
掛合部品６２の端部に一つの第二凹面６２４及びその両端に対称に形成された二つの当接面６２３を設ける。掛合部品６２の一端に先端突起６２５を設け、先端突起６２５は左右変位することができるようディテント５０の設置段差凹部５３の中に位置し、且つスリット６１３の外に突出して露出する。先端突起６２５と第一辺面６２０１との間の幅は垂直幅６２６である。掛合部品６２の頂部の別端に欠落角６２７を設け、欠落角６２７と先端突起６２５の間は最大距離６２８である。
【００１９】
制御ユニット６０の円形軸６１１を本体１０の軸孔１３の中に枢設し、該外径６１１１は軸孔１３の直径と同じであり、且つ掛合部品６２の長さ６２０より長い。垂直幅６２６は長さ６２０より長い(また、即ち掛合部品６２の長さより長い)及び円形軸６１１の外径６１１１より長い。長さ６２０は最大距離６２８と同じ或いはそれより長い。垂直幅６２６は最大距離６２８より長い。
【００２０】
弾性部品６３を欠け溝部６１５及びスロット６２１の間に設置する。二つの当接面６２３は弾性部品６３の弾力を受けて第二アーク面５２２に当接する。凹アーク部５２に含まれるのは一つの第一アーク面５２１及び二つの第二アーク面５２２である。このように第二アーク面５２２のアーク半径は当接面６２３に接近するのがベストであり、シフトボタン６１は回転することができ、掛合部品６２及びディテント５０を制御することで、ディテント５０は本体１０のアーク形凹部１２内で左右に変位することができる。
【００２１】
蓋本体７０は三日月型を呈し、且つ本体１０のアーク形掛合溝１５に設置することでアーク形凹部１２を密閉する。蓋本体７０はアーク形を呈する第一周面７１を設け、第一周面７１と円形開孔１１の周面は互いに重なる。
【００２２】
第一バックル８０は弾性を具有し、ラチェット２０の環状溝２３及び本体１０の埋め込みアーク形凹部１４に設置する。ラチェット２０は回転ディスク３０及び第一バックル８０により制限され、円形開孔１１内に枢設する。第一バックル８０は蓋本体７０に抵触することで、蓋本体７０はラチェット２０及び第一バックル８０に制限されてアーク形掛合溝１５の外に抜け出せない。第一バックル８０はややＤ字型を呈す環状体であり、その上に掛合部８１を設ける。掛合部８１を欠け溝部２４に設置する。
【００２３】
図１５から図１８に示すように、ラチェット２０は回転できるように円形開孔１１の中に設置する。回転ディスク３０を組合部２１１に固設する。凸歯３１を本体の外に突出して露出する。内蓋４１がスリーブ開孔２５を密閉する。外蓋４２をラチェット２０及び回転ディスク３０内に設置する。ディテント５０をアーク形凹部１２の中に設置する。制御ユニット６０を軸孔１３の中に枢設する。蓋本体７０をアーク形掛合溝１５の中に設置する。
【００２４】
図１９に示すように、制御ユニット６０によりユーザーは回転することで、ディテント５０をアーク形凹部１２内で左右に変位するのを制御し、ラチェットレンチの正転逆転を制御する。掛合部品６２に先端突起６２５を設ける。垂直幅６２６は外径６１１１より大きく(即ち先端突起６２５と第一辺面６２０１間の距離は、円形軸６１１の外径６１１１より長い)、先端突起６２５はスリット６１３の外に突出して露出する。ユーザーがシフトシート６１８を回してラチェットレンチの正転逆転を切り替える際、先端突起６２５は弾性部品６３の弾力を受けて設置段差凹部５３の中に抵触して設置することで、掛合部品６２はラチェット２０が回転する際、ディテント５０を押す或いはその他の要素により、掛合部品６２がスリット６１３内に没入すると、先端突起６２５はスリット６１３の外に突出して露出する。そうすることでシフトボタン６１が軸孔１６内にて過度に回転するかもしれない問題を避けることができる。即ち掛合部品６２は先端突起６２５を具有することで、図２３及び図２４の問題を避けることができる。
【００２５】
図２０図２１に示すように、制御ユニット６０を軸孔１３内に枢設し、ディテント５０の凹アーク部５２の二つの端部に凸部５４を凸設する。ユーザーがシフトシート６１８を回してラチェットレンチの正転逆転を切り替える際、掛合部品６２はシフトボタン６１により動き、ディテント５０の凹アーク部５２の範囲内で変位する。二つの凸部５４を凹アーク部５２の二つの端部に凸設することで、掛合部品６２は凹アーク部５２にて変位する際に、二つの凸部５４に制限される。シフトボタン６１が軸孔１３内で回転する際に、角度の制限があるために、過度に回転する問題を避けることができる。
【００２６】
図２２に示すように、シフトボタン６１の円形軸６１１のシフトシートに近い一端に第二凸ブロック６１９を設ける。第二凸ブロック６１９を回転制限溝１６に設置し、第二凸ブロック６１９は回転制限溝１６の範囲内で左右に変位することができる。ユーザーがシフトシート６１８を回してラチェットレンチの正転逆転を切り替える際、シフトボタン６１が回転できる最大の角度は、回転制限溝１６及び第二凸ブロック６１９に制限され、過度に回転する問題を避けることができる。
【００２７】
本考案のメリットは下記の通りである：
【００２８】
１、図１９に示すように、先端突起６２５はスリット６１３の外に突出して露出し、シフトボタン６１が軸孔１６内にて過度に回転するのを避けることができる。
【００２９】
２、図２１に示すように、掛合部品６２はシフトボタン６１により、二つの凸部５４の間で変位し、シフトボタン６１が過度に回転するのを避けることができる。
【００３０】
３、図２２に示すように、シフトボタン６１が回転できる最大角度は、回転制限溝１６及び第二凸ブロック６１９に制限されて、過度に回転するのを避けることができる。
【００３１】
４、図２に示すように、円形開孔１１は貫通し、アーク形凹部１２の一端は開放状態を呈し、ドリルツールを使った加工がしやすい。
【００３２】
５、図７に示すように、外蓋４２は第一端部２０１及び平ら抵触部３５に制限され、ラチェット２０及び回転ディスク３０の外に抜けない。
【００３３】
６、第二凹面６２４により、掛合部品６２と凹アーク部５２及び第二アーク面５２２の接触面積を減らすことができる。シフトボタン６１は掛合部品６２及びディテント５０の回転を制御できることで、ディテント５０はアーク形凹部１２内で左右に変位する。
【００３４】
７、蓋本体７０はラチェット２０及び第一バックル８０に制限されてアーク形掛合溝１５の外に抜けない。
【符号の説明】
【００３５】
１０  本体            
１１  円形開孔
１２  アーク形凹部      
１３  軸孔
１４  埋め込みアーク形凹部          
１５  アーク形掛合溝
１６  アーク形回転制限溝          
１７  アーク形溝
１８  凹溝        
２０  ラチェット            
２０１  第一端部
２１  掛合歯            
２１１  組合部
２３  環状溝            
２４  欠け溝部
２５  スリーブ開孔            
２６  円形套合溝
２７  プラットフォーム            
２８  フランジ
３０  回転ディスク          
３１  凸齒
３２  第二端部        
３３  套接部
３４  スリーブ部            
３５  平ら抵触部
４１  内蓋            
４１１  外周部
４１２  内周部     
４２  外蓋            
４２１  外縁部
４２２  内縁部         
４２３  スリーブ部
４２４  当接部         
４２５  収納室
４２６  寄掛部     
５０  ディテント            
５１  噛合歯
５２  凹アーク部          
５２１  第一アーク面
５２２  第二アーク面       
５３  設置段差凹部
５４  凸部
６０  制御ユニット        
６１  シフトボタン
６１１  円形軸           
６１１１  外径
６１２  端面           
６１３  スリット
６１４  幅           
６１５  欠け溝部
６１６  円形          
６１７  第一凹面
６１８  シフトシート          
６１９  第二凸ブロック
６２  掛合部品          
６２０  長さ
６２０１  第一辺面      
６２０２  第二辺面
６２１  スロット           
６２２  幅
６２３  当接面         
６２４  第二凹面
６２５  先端突起          
６２６  垂直幅
６２７  欠落角          
６２８  最大距離
６３  弾性部品        
７０  蓋本体            
７１  第一周面
８０  第一バックル
８１  掛合部
【図１】
0003209448.tif 000003
【図２】
0003209448.tif 000004
【図３】
0003209448.tif 000005
【図４】
0003209448.tif 000006
【図５】
0003209448.tif 000007
【図６】
0003209448.tif 000008
【図７】
0003209448.tif 000009
【図８】
0003209448.tif 000010
【図９】
0003209448.tif 000011
【図１０】
0003209448.tif 000012
【図１１】
0003209448.tif 000013
【図１２】
0003209448.tif 000014
【図１３】
0003209448.tif 000015
【図１４】
0003209448.tif 000016
【図１５】
0003209448.tif 000017
【図１６】
0003209448.tif 000018
【図１７】
0003209448.tif 000019
【図１８】
0003209448.tif 000020
【図１９】
0003209448.tif 000021
【図２０】
0003209448.tif 000022
【図２１】
0003209448.tif 000023
【図２２】
0003209448.tif 000024
【図２３】
0003209448.tif 000025
【図２４】
0003209448.tif 000026